(57)【要約】【課題】携帯性、カメラのフィットニス性を犠牲にすることなく、基本外観形状とこの基本外観形状に対して一部が突出した部品部を有する変化外観形状との少なくとも二つの外観形状を呈するカメラの両外観形状のカメラを収納可能なカメラケースを提供する。【解決手段】本発明のカメラケースは、基本外観形状に対応するカメラの収容空間を内側に有しかつ外方に向かって開放された開放空間が基本外観形状のカメラの挿入口となっている本体部１３と挿入口を閉塞する本体カバー１４とから構成されたケース体１０からなり、ケース体には部品部を出入させる開口１７と、基本外観形状の状態で開口を塞ぐ装飾部材１８と、変化外観形状の状態で開口１７から突出した部品部を包囲して部品部を保護する部品部カバー２１とが設けられている。【選択図】図４
2008237285.tif 000002
【特許請求の範囲】
【請求項１】
基本外観形状と該基本外観形状に対して一部が突出した部品部を有する変化外観形状との少なくとも二つの外観形状を呈するカメラの両外観形状に応じて該カメラを収納可能なカメラケースであって、
前記基本外観形状に対応するカメラの収容空間を内側に有しかつ外方に向かって開放された開放空間が該基本外観形状のカメラの挿入口となっている本体部と該挿入口を閉塞する本体カバーとから構成されたケース体からなり、前記ケース体には前記部品部を出入させる開口と、前記基本外観形状の状態で前記開口を塞ぐ装飾部材と、前記変化外観形状の状態で前記開口から突出した部品部を包囲して該部品部を保護する部品部カバーとが設けられていることを特徴とするカメラケース。
【請求項２】
前記部品部は前記カメラ本体に着脱可能なオプションパーツであることを特徴とする請求項１に記載のカメラケース。
【請求項３】
前記オプションパーツは前記カメラ本体の上面部に着脱可能に取り付けられるストロボユニット又は光学式ファインダー又は電子ビューファインダーであることを特徴とする請求項２に記載のカメラケース。
【請求項４】
前記本体カバーは前記本体部に対して一体に連続して形成され、前記開口は少なくとも前記本体カバーに形成されていることを特徴とする請求項２又は請求項３に記載のカメラケース。
【請求項５】
前記装飾部材は皮製又は革製又は樹脂製の装飾用ベルトからなり、該装飾用ベルトは前記開口の開口周壁を基端部として該開口を閉塞可能な方向に延びており、その一部が前記オプションパーツの上面部と前部と後面部とを覆う部品部カバーの一部を構成していることを特徴とする請求項４に記載のカメラケース。
【請求項６】
前記部品部カバーの両側面部が前記ベルトの延びる方向に対して直交する方向に延びる一対の布帯からなり、前記開口周壁に該一対の布帯の延びる方向先端部を着脱可能に固着する固着具が設けられ、前記部品部カバーの両側面部が前記一対の布帯の先端部を前記固着具に固着させることによって組み立てられることを特徴とする請求項５に記載のカメラケース。
【請求項７】
前記本体部は底面部と前面部と後面部と一対の側面部とからなり、前記本体カバーは前記後面部の上面部に連続してつながっており、前記本体部の底面部には前記装飾用ベルトの延びる方向先端部を緊張状態で固着する固着具が設けられ、前記本体部の後面部には前記装飾用ベルトの延びる方向先端部を弛んだ状態で固着する固着具が設けられ、前記基本外観形状に対応するカメラを収納する場合には前記装飾用ベルトは前記本体部の内側で緊張状態で固定され、前記変化外観形状に対応するカメラを収納する場合には前記装飾用ベルトは前記本体部の内側で前記開口を跨ぐようにして弛緩状態で固定されることを特徴とする請求項６に記載のカメラケース。
【請求項８】
前記基本外観形状に対応するカメラの収納時には、前記一対の布帯の一方が折り畳まれ、この折り畳まれた布帯を押さえ込むようにして前記一対の布帯の他方が折り畳まれてその先端が該他方の先端に対応する固着具に固定され、該折り畳部が前記開口に押し込まれた状態で前記開口が塞がれていることを特徴とする請求項７に記載のカメラケース。
【発明の詳細な説明】
【技術分野】
【０００１】
本発明は、カメラケース、ことにデジタルカメラを収納するのに好適なカメラケースに関する。
【背景技術】
【０００２】
カメラ、ことに、携帯用のデジタルカメラは鞄や上着のポケットに入れて持ち運ばれることが多く、デジタルカメラの保管、運搬の際に汚れや傷が付くのを防止するため、そのデジタルカメラを収納する各種のカメラケースが開発され、各会社から既に販売されている。
【０００３】
このカメラケースの一例としては、例えば、カメラの外観形状に対応する形状のケース体をソフトな材料から構成し、カメラを使用する際には、カメラ上面部の軍艦部を覆う軍艦部カバーとカメラ本体の前部から突出したレンズ部を覆うレンズカバーとを折り畳んで、コンパクト化する構成のものが知られている（例えば、特許文献１参照。）。
【特許文献１】特開平９−２７６０２６号公報
【発明の開示】
【発明が解決しようとする課題】
【０００４】
しかしながら、この従来のカメラケースは、カメラの外観形状に対応して作られているので、カメラ本体の上面部のアクセサリーシューに外付けで、光学式ファインダーユニットや電子ビューファインダーユニット又はストロボユニット等のパーツ（部品部）を後付けで着脱可能に装着できるデジタルカメラのように、外観形状がパーツの装着の有無によって変わるデジタルカメラの場合には、例えば、図１に示すようにカメラケース１をカメラ本体２（図２参照）にパーツが取り付けられていない基本外観形状に対応させて製作すると、カメラ本体２にパーツを取り付けた変化外観形状の状態でカメラケース１に収納できないという不便があり、その一方、カメラ本体２にパーツ３（図３参照）が取り付けられている状態の変化外観形状に対応させてカメラケースを製作すると、カメラ本体２にパーツ３が装着されている変化外観形状の状態にフィットさせてカメラをカメラケースに収納することはできるが、カメラ本体２からパーツ３を取り外した基本外観形状の状態で収納したい場合には、カメラ本体にぴったりと合わず、かつ、パーツの外観形状に相当する分だけカメラケースのサイズが大きくなり、携帯性の観点、フィットニス性の観点から不便である。
【０００５】
なお、ここでは、変化外観形状に対応させて製作されたカメラケースは図示されていない。
【０００６】
このように、基本外観形状とこの基本外観形状に対して一部が突出した部品部を有する変化外観形状との少なくとも二つの外観形状を呈するカメラの両外観形状に応じてカメラを収納可能なカメラケースを構成しようとすると、携帯性を犠牲にするか又は基本外観形状の収納の際にカメラのフィットニス性を犠牲にせざるを得ないという問題がある。
【０００７】
本発明は、携帯性、カメラのフィットニス性を犠牲にすることなく、
基本外観形状とこの基本外観形状に対して一部が突出した部品部を有する変化外観形状との少なくとも二つの外観形状を呈するカメラの両外観形状のカメラを収納可能なカメラケースを提供することを目的とする。
【課題を解決するための手段】
【０００８】
本発明の特徴は、基本外観形状とこの基本外観形状に対して一部が突出した部品部を有する変化外観形状との少なくとも二つの外観形状を呈するカメラの両外観形状に応じてカメラを収納可能なカメラケースであって、
基本外観形状に対応するカメラの収容空間を内側に有しかつ外方に向かって開放された開放空間が基本外観形状のカメラの挿入口となっている本体部とこの挿入口を閉塞する本体カバーとから構成されたケース体からなり、このケース体に部品部を出入させる開口と、基本外観形状の状態で開口を塞ぐ装飾部材と、変化外観形状の状態で開口から突出した部品部を包囲して部品部を保護する部品部カバーとが設けられているところにある。
【０００９】
部品部は、好ましくはカメラ本体に着脱可能なオプションパーツであり、このオプションパーツは、カメラ本体の上面部に着脱可能に取り付けられるストロボユニット又は光学式ファインダー又は電子ビューファインダーである。
【００１０】
カバー部は、本体部に対して一体に連続して形成され、開口は少なくとも本体カバーに形成するのが望ましい。
【００１１】
装飾部材は、望ましくは皮製又は革製又は合成樹脂製の装飾用ベルトから構成され、この装飾用ベルトは開口周壁を基端部として開口を閉塞可能な方向に延びており、その一部はオプションパーツの上面部と前部と後面部とを覆う部品部カバーの一部を構成していることが望ましい。
【００１２】
その部品部カバーの両側面部は装飾用ベルトの延びる方向に対して直交する方向に延びる一対の布帯からなり、開口周壁に一対の布帯の延びる方向先端部を着脱可能に固着する固着具が設けられ、部品部カバーの両側面部は一対の布帯の先端部を固着具に固着させることによって組み立てられることが望ましい
本体部は底面部と前面部と後面部と一対の側面部とからなり、本体カバーは後面部の上面部に連続的につながっており、本体部の底面部には装飾用ベルトの延びる方向先端部を緊張状態で固着する固着具が設けられ、本体部の後面部には装飾用ベルトの延びる方向先端部を弛んだ状態で固着する固着具が設けられ、基本外観形状に対応するカメラを収納する場合には装飾用ベルトは本体部の内側で緊張状態で固定され、変化外観形状に対応するカメラを収納する場合には装飾用ベルトは本体部の内側で開口を跨ぐようにして弛緩状態で固定されるのが望ましい。
【００１３】
基本外観形状に対応するカメラの収納時には、一対の布帯の一方が折り畳まれ、この折り畳まれた布帯を押さえ込むようにして一対の布帯の他方が折り畳まれてその先端が他方の先端に対応する固着具に固定され、折り畳部が開口に押し込まれた状態で開口が塞がれていることが望ましい。
【発明の効果】
【００１４】
本発明によれば、基本外観形状に対応するカメラの収容空間を内側に有しかつ外方に向かって開放された開放空間が基本外観形状のカメラの挿入口となっている本体部とこの挿入口を閉塞する本体カバーとから構成されたケース体からなり、このケース体に部品部を出入させる開口と、基本外観形状の状態で開口を塞ぐ装飾部材と、変化外観形状の状態で開口から突出した部品部を包囲して部品部を保護する部品部カバーとが設けられているので、携帯性、カメラのフィットニス性を犠牲にすることなく、基本外観形状とこの基本外観形状に対して一部が突出した部品部を有する変化外観形状との少なくとも二つの外観形状を呈するカメラの両外観形状のカメラを収納可能なカメラケースを提供できる。
【００１５】
部品部を保護する保護カバー部を開口から外に引き出して部品部を保護する構成であるので、ケース体の外観形状を損なうことなく機能性に富んだカメラケースを提供できる。
【００１６】
この発明に係わるカメラケースの場合、部品部がカメラ本体に着脱可能なオプションパーツのときには、カメラ本体にパーツを装着した状態でカメラを収納可能で、かつ、このようにカメラ本体にパーツを装着した状態で収納可能とした場合であってもそのパーツを取り外した状態での携帯性、フィットニス性を損なうことなくカメラを収納可能である。
【００１７】
オプションパーツが出入する開口を少なくとも本体カバーに形成した場合には、挿入口を塞ぐときに、パーツを自然に収容空間から外方に突出させることができるので、パーツをカメラ本体に装着した状態でのカメラ本体の収納をスムーズに行うことができる。
【００１８】
装飾部材を開口周壁を基端部として開口を閉塞可能な方向に延びる皮製又は革製又は合成樹脂製の装飾用ベルトから構成し、その一部をオプションパーツの上面部と前部と後面部とを覆う部品部カバーの一部として構成し、装飾用ベルトの延びる方向に対して直交する方向に延びる一対の布帯によってその部品部カバーの両側面部を構成すれば、オプションパーツのほぼ全体を固い部品部カバーで被覆することができるので、オプションパーツの保護の確実性を図ることができる。
【００１９】
また、開口周壁に一対の布帯の延びる方向先端部を着脱可能に固着する固着具を設け、部品部カバーの両側面部を一対の布帯の先端部を固着具に固着させることによって組み立てる構成とすれば、被覆カバーの組立てを容易に行うことができる。
【００２０】
本体部の底面部に装飾用ベルトの延びる方向先端部を緊張状態で固着する固着具を設け、本体部の後面部に装飾用ベルトの延びる方向先端部を弛んだ状態で固着する固着具を設け、基本外観形状に対応するカメラを収納する場合には装飾用ベルトを本体部の内側で緊張状態で固定し、変化外観形状に対応するカメラを収納する場合には装飾用ベルトを本体部の内側で開口を跨ぐようにして弛緩状態で固定する構成とすれば、基本外観形状のカメラを収納する場合にほとんど収納の邪魔とならず、変化外観形状に対応するカメラを収納する場合には、オプションパーツを容易に内側から外側に向かって案内することができる。
【００２１】
基本外観形状に対応するカメラの収納時には、一対の布帯の一方を折り畳み、この折り畳まれた布帯を押さえ込むようにして一対の布帯の他方を折り畳んでその先端を他方の先端に対応する固着具に固定し、この折り畳部を開口に押し込んだ状態で開口を塞ぐことにすれば、装飾用ベルトの一部によって開口が塞がれるので、美観の向上も図ることができる。
【発明を実施するための最良の形態】
【００２２】
以下に、本発明に係わるカメラケースの発明の実施の形態を図面を参照しつつ説明する。
【実施例】
【００２３】
本発明に係わるカメラケースは、従来のカメラと同一形状のカメラについて適用されるので、カメラについては、図２、図３を参照しつつ説明することにする。
【００２４】
図４は本発明に係わるカメラケースの外観図を示し、符号１０はケース体を示している。このカメラケースは基本外観形状とこの基本外観形状に対して一部が突出した部品部を有する変化外観形状との少なくとも二つの外観形状を呈するカメラ本体２（図２、図３参照）の両外観形状に応じてカメラを収納可能な構成とされている。ここでは、部品部はカメラ本体２のアクセサリーシューに着脱可能なオプションパーツ３であり、このオプションパーツ３は、例えばカメラ本体２の上面部に着脱可能に取り付けられるストロボユニット又は光学式ファインダー又は電子ビューファインダーであり、図３にはストロボユニットが図示されている。
【００２５】
ケース体１０は基本外観形状に対応するカメラの収容空間１１を内側に有しかつ外方に向かって開放された開放空間が基本外観形状のカメラの挿入口１２となっている本体部１３とこの挿入口１２を閉塞する本体カバー１４とから構成されている。この本体部１３は前面部１３ａ、後面部１３ｂ、一対の側面部１３ｃ、１３ｃ、底面部１３ｄからなる。
【００２６】
前面部１３ａには一対の磁石式の吸着ボタン１５が幅方向に間隔を開けて設けられている。本体カバー１４は、後面部１３ｂの上面部に縫い付けられて一体化されている。
【００２７】
その本体カバー１４には一対の吸着ボタン１５、１５に対向する吸着ボタン１６、１６が設けられている。この本体カバー１４にはオプションパーツ３を出入させる開口１７が設けられている。
【００２８】
その開口１７にはその開口周壁を基端部として開口１７を閉塞可能な方向に延びる装飾用ベルト１８の一端が縫い付けられ、この装飾用ベルト１８はカメラ本体２の基本外観形状の状態で開口１７を塞ぐ装飾部材として機能する。この装飾用ベルト１８は例えば皮製又は革製又は合成樹脂製である。
【００２９】
その装飾用ベルト１８にはこの装飾用ベルト１８の延びる方向に対して直交する方向に延びる一対の布帯１９、２０が設けられている。この布帯１９、２０には装飾用ベルト１８よりも軟らかい材料を用いて製作されている。
【００３０】
この一対の布帯１９、２０は変化外観形状の状態で開口１７から突出したオプションパーツ３を包囲してオプションパーツ３を保護する部品部カバー２１の側面部２１ａ、２１ａ（図１０参照）を構成するのに用いられ、装飾用ベルト１８の一部はオプションパーツ３を包囲してオプションパーツ３を保護する部品部カバー２１の上面部２１ｂと前面部２１ｃと後面部２１ｄとを保護するのに用いられる。
【００３１】
開口１７の開口周壁には一対の布帯１９、２０の延びる方向先端部を着脱可能に固着する固着具としてのマジックテープ（登録商標）２２、２２が設けられ、一対の布帯１９、２０の先端部にはこのマジックテープ（登録商標）２２、２２に対向する固着具としてのマジックテープ（登録商標）２３、２３が設けられている。
【００３２】
装飾用ベルト１８の延びる方向先端部には固着具としてのマジックテープ（登録商標）２４が設けられ、本体部１３の底面部１３ｄには前面部１３ａに近い側にマジックテープ（登録商標）２４と協働して装飾用ベルト１８を緊張状態で固着する固着具としてのマジックテープ（登録商標）２５が設けられ、本体部１３の後面部１３ｂの内側かつ上面部にはマジックテープ（登録商標）２４と協働して装飾用ベルト１８を緩んだ状態で固着する固着具としてのマジックテープ（登録商標）２６が設けられている。
【００３３】
基本外観形状に対応するカメラの収納時には、図５に示すように、装飾用ベルト１８の先端部のマジックテープ（登録商標）２４を底面部１３ｄのマジックテープ（登録商標）２５に貼り付けて装飾用テープ１８を若干の緊張状態とし、図６（ａ）に拡大して示すように、一対の布帯１９、２０の一方の布帯１９を装飾用ベルト１８に重なるように折り畳む。次に、図６（ｂ）に拡大して示すように、折り畳まれた布帯１９を押さえ込むようにして他方の布帯２０を折り畳んでマジックテープ（登録商標）２３をマジックテープ（登録商標）２２に貼り付ける。ついで、この折り畳まれた布帯の部分は開口１７に押し込まれる。これにより、図７に示すように、一対の布帯１９、２０が基本外観形状のカメラの収納の邪魔にならないように開口１７に収納される。このように開口１７が閉塞されるので、開口１７が形成されていたとしても、美観の低下を防止でき、それのみならず、この開口１７の存在によって、美的外観の向上が図られる。
【００３４】
なお、ここでは、後面部１３ｂの内側の上面部には、折り畳まれた布帯１９を押さえ込むようにして他方の布帯２０を折り畳んでマジックテープ（登録商標）２３をマジックテープ（登録商標）２２に貼り付ける際に、この他方の布帯２０の固着を補助するための補助マジックテープ（登録商標）２７が設けられている。
【００３５】
次に、カメラ本体２にオプションパーツ３が装着された変化外観形状に対応するカメラの収納時には、図８に示すように、装飾用ベルト１８の先端部のマジックテープ（登録商標）２４を後面部１３ｂのマジックテープ（登録商標）２６に貼り付けて弛んだ状態で装飾用ベルト１８を後面部１３ｂに固定し、ついで、一対の布帯１９、２０のマジックテープ（登録商標）２３、２３をマジックテープ（登録商標）２２、２２に貼り付けて部品部カバー２１の両側面部２１ａ、２１ａを組み立て、図９に示すように、装飾用ベルト１８の折り畳み部分を開口１７に押し込んで外側に突出させ、この状態でオプションパーツ３が装着された変化外観形状に対応するカメラを収容空間１１に収容し、本体カバー１４を閉じれば、図１０に示すように、部品部カバー２１が開口１７から自然にオプションパーツ３を保護した状態で突出する。
【００３６】
以上、本発明の最良の発明の実施の形態について説明したが、図１１、図１２に示すように、開口周壁に布製の部品部カバー２１としての袋体２８（図１３参照）を予め縫い付け、装飾用ベルト１８の先端部に設けられたマジックテープ（登録商標）２４と協働して装飾用ベルト１８を緊張状態で固着するマジックテープ（登録商標）２９を底面部１３ｄに設け、本体部１３の後面部１３ｂの内側かつ上面部にマジックテープ（登録商標）２４と協働して装飾用ベルト１８を緩んだ状態で固着するマジックテープ（登録商標）３０を設ける構成としても良い。
【００３７】
この構成の場合でも、装飾用ベルト１８の一部が袋体２８の前面部と上面部と後面部とを覆う構成になるので、オプションパーツ３の保護の確実性を図ることができる。
【００３８】
また、この構成による場合、部品部カバー２１が袋体２８から形成されているので、部品部カバー２１を組み立てるという作業の手間を省くことができる。
【００３９】
更に、図１４に示すように、装飾用ベルト１８を両端部が互いに縫い付けられた二枚の分割ベルト１８ａ、１８ｂから構成し、この分割ベルト１８ａ、１８ｂのいずれか一方に袋体２８を縫い付ける構成とすることもできる。
【図面の簡単な説明】
【００４０】
【図１】図２に示すカメラを収容するためのカメラケースの外観図である。
【図２】カメラの外観形状を説明するための図であって、オプションパーツが取り付けられていない状態を示す図である。
【図３】カメラの外観形状を説明するための図であって、図２に示すカメラにオプションパーツが取り付けられている状態を示す図である。
【図４】本発明に係わるカメラケースの説明図であって、内部が見える状態を示す斜視図である。
【図５】本発明に係わるカメラケースに基本外観形状のカメラを収納する作業手順を説明するための説明図であって、図４に示す装飾用ベルトを図４に示す底面部の固着具に固着させる直前状態を示す図である。
【図６】図４に示す布帯の折り畳み作業の説明図であって、（ａ）は一方の布帯を装飾用ベルトに折り畳んで重ねる作業を説明する説明図、（ｂ）は（ａ）に示す方の布帯を装飾用ベルトに折り畳んで重ねる作業を説明する説明図である。
【図７】基本外観形状のカメラを収納したカメラケースの外観図である。
【図８】本発明に係わるカメラケースに変化外観形状のカメラを収納する作業手順を説明するための説明図であって、部品部カバーの組立手順をを示す図である。
【図９】図８に示す部品部カバーの開口への押し込み状態を説明する説明図である。
【図１０】変化外観形状のカメラを収納したカメラケースの外観図である。
【図１１】本発明に係わるカメラケースの別の形態の説明図であって、袋体を開口周壁に縫いつけて部品部カバーが形成されたカメラケースの側面図である。
【図１２】図１１に示すカメラケースの説明図であって、本体カバーを開いた状態で上から見た状態を示す図である。
【図１３】図１１に示す袋体の外観図である。
【図１４】図１１に示す装飾用ベルトの部分拡大図であって、袋体を装飾用ベルトの間に設けて、装飾用ベルトの一方に袋体を縫い付けた状態を示す図である。
【符号の説明】
【００４１】
１０…ケース体
１３…本体部
１４…本体カバー
１７…開口
１８…装飾用ベルト（装飾用部材）
２１…部品部カバー
【図１】
2008237285.tif 000003
【図２】
2008237285.tif 000004
【図３】
2008237285.tif 000005
【図４】
2008237285.tif 000006
【図５】
2008237285.tif 000007
【図６】
2008237285.tif 000008
【図７】
2008237285.tif 000009
【図８】
2008237285.tif 000010
【図９】
2008237285.tif 000011
【図１０】
2008237285.tif 000012
【図１１】
2008237285.tif 000013
【図１２】
2008237285.tif 000014
【図１３】
2008237285.tif 000015
【図１４】
2008237285.tif 000016